(57)【特許請求の範囲】
【請求項１】
着座者の身体を支持する支持面の形状を形作り高さ方向中間部が前方に膨出した形状を有するとともに下端部に受け部が設けられた支持面部材と、
前記支持面部材の上端部を枢着軸を介して支持するとともにその支持面部材の上部が所定位置よりも上昇しないように維持する支持本体と、
前記支持本体の下端近傍に載置された状態で前記支持面部材の下端部の受け部と前記支持本体との間に介在し、表面の少なくとも一部が支持面からの荷重を前記受け部を介して受けて弾性変形可能であり、支持面部材の前記受け部を上方に変位させることで支持面部材の中間部を湾曲又は屈曲させて該支持面部材の中間部の前方への突出幅を増大させ着座者の身体に近づく方向に突出させる流体袋とを具備するものであって、
前記流体袋が、その弾性により前記支持面部材の中間部にクッション性を付与することが可能であることを特徴とする椅子の背凭れ。
【請求項２】
前記支持面部材の上方に配してなり着座者の頭部を支持するヘッドレストと、
このヘッドレストと前記支持面部材との間に配してなり前記支持面部材の下部を上方に変位させる動作又は支持面部材の上部を下方に変位させる動作に連動してヘッドレストの上部を前方に駆動する接続部材とをさらに具備することを特徴とする請求項１記載の椅子の背凭れ。
【請求項３】
前記ヘッドレストと前記支持面部材とを一体的に形成しているものであって、前記支持本体が、前記支持面部材の上部を水平方向に延伸する軸回りに回転可能に支持するとともに、この支持本体がヘッドレストの下部を水平方向に延伸する軸回りに回転可能に支持することを特徴とする請求項２記載の椅子の背凭れ。
【発明の詳細な説明】
【技術分野】
【０００１】
本発明は、支持面部材の高さ方向中間部を湾曲又は屈曲させて着座者の身体に近づく方向に突出させることが可能な椅子の背凭れに関する。
【背景技術】
【０００２】
従来、支持面部材の少なくとも上端部若しくは下端部の何れか一方を一定方向へスライド可能に支持する支持部と、そのスライド位置を選択して固定するための操作部とを設け、この操作部の操作位置に応じて支持面部材の中間部を湾曲又は屈曲させ、着座者の身体に近づく方向に突出させる構成が考えられている（例えば、特許文献１を参照）。
【特許文献１】特開２００３−２８９９８４号公報
【発明の開示】
【発明が解決しようとする課題】
【０００３】
しかして、特許文献１記載の構成では、先端に操作部を有する操作レバーと、この操作レバーに設けた長穴及び支持面部材（背凭れ）に設けたピンを係合させてなる係合部とを有し、操作レバーが受け付けた操作力を前記係合部を介して支持面部材に伝達する。ここで、前記操作レバー及び係合部は、背凭れの下部を収納させてなる背凭れ受部材の内部に収納しているが、背凭れを変形させるための機構部分をより自然な形で外部から隠蔽できるようにする要望が存在する。また、このような構成の家具において、支持面部材にクッション性を備えさせる要望も存在する。
【０００４】
本発明は、以上に述べた課題を解決すべく構成するものである。
【課題を解決するための手段】
【０００５】
すなわち、本発明に係る椅子の背凭れの一つは、着座者の身体を支持する支持面の形状を形作り高さ方向中間部が前方に膨出した形状を有するとともに下端部に受け部が設けられた支持面部材と、前記支持面部材の上端部を枢着軸を介して支持するとともにその支持面部材の上部が所定位置よりも上昇しないように維持する支持本体と、前記支持本体の下端近傍に載置された状態で前記支持面部材の下端部の受け部と前記支持本体との間に介在し、表面の少なくとも一部が支持面からの荷重を前記受け部を介して受けて弾性変形可能であり、支持面部材の前記受け部を上方に変位させることで支持面部材の中間部を湾曲又は屈曲させて該支持面部材の中間部の前方への突出幅を増大させ着座者の身体に近づく方向に突出させる流体袋とを具備するものであって、前記流体袋の弾性により前記支持面部材の中間部にクッション性を付与することが可能であることを特徴とする。
【０００７】
このようなものであれば、流体袋を膨張させることにより、支持面部材の下部を上方に変位させることで支持面部材の中間部を湾曲又は屈曲させて着座者の身体に近づく方向に突出させる構成を実現しつつ、支持面部材を変位させるための機構を座の下方や、ヘッドレストを有する椅子におけるヘッドレストの下方等、外部から視認できない部位に配して椅子の外観を整えることができる。
【０００８】
また、前記流体袋の表面の少なくとも一部が支持面からの荷重を受けて弾性変形可能であるので、この流体袋の弾性により支持面部材の中間部にクッション性を付与することができる。
【０００９】
さらに、前記支持面部材の上方に配してなり着座者の頭部を支持するヘッドレストと、このヘッドレストと前記支持面部材との間に配してなり前記支持面部材の下部を上方に変位させる動作又は支持面部材の上部を下方に変位させる動作に連動してヘッドレストの上部を前方に駆動する接続部材とをさらに具備するものであれば、支持面部材の中間部の湾曲又は屈曲に連動させてヘッドレストの上部を前方に駆動させることにより、着座者の背部と同時に頸部を支持させることができるようになる。
【００１０】
前段で述べたような機構を簡単な構成で実現できるようにするための構成として、前記ヘッドレストと前記支持面部材とを一体的に形成しているものであって、前記支持本体が、前記支持面部材の上部を水平方向に延伸する軸回りに回転可能に支持するとともに、この支持本体がヘッドレストの下部を水平方向に延伸する軸回りに回転可能に支持するものが挙げられる。
【発明の効果】
【００１１】
本発明に係る椅子の背凭れの構成によれば、流体袋を膨張させることにより、支持面部材の下部を上方に変位させることで支持面部材の中間部を湾曲又は屈曲させて着座者の身体に近づく方向に突出させる構成を実現しつつ、支持面部材を変位させるための機構を座の下方や、ヘッドレストを有する椅子におけるヘッドレストの下方等、外部から視認できない部位に配して椅子の外観を整えることができる。
【００１２】
特に、前記流体袋の表面の少なくとも一部が支持面からの荷重を受けて弾性変形可能であれば、この流体袋の弾性により支持面部材の中間部にクッション性を付与することができる。
【発明を実施するための最良の形態】
【００１３】
以下、本発明の一実施形態を、図面を参照して説明する。
【００１４】
本実施形態の椅子Ｃは、図１に全体斜視図を示すように、脚体４と、脚体４に支持させた基体２と、基体２上に配設した座３と、基体２から起立させて設けた背凭れ１と、この背凭れ１の上方に設けたヘッドレスト５とを具備する。
【００１５】
詳述すると、脚体４は、複数個のキャスターを装着している脚羽根４１と、脚羽根４１の中央より略垂直に立ち上がる脚支柱４２とを備えており、脚羽根４１と脚支柱４２との間に介設したガススプリング（図示せず）の伸縮により脚支柱４２を上下に突没させ得る。
【００１６】
基体２は脚支柱４２の上端に固定してあって、脚支柱４２の突没操作を通じて座３及び背凭れ１の高さ位置を調節することができる。
【００１７】
座３は、座受３１に座面を形成するクッション体３２を装着してなる。座３の前端部は、基体２に対し前後方向にスライド移動可能に支持させており、座３の後端部は、下記背フレーム１１における下フレーム部１３にヒンジ（図示せず）を介して取着している。
【００１８】
背凭れ１は、前記図１に示すように、また、側面を概略的に示した図を図２及び図３に示すように、基体２から起立して設けた支持本体たる背支桿１１と、この背支桿に下端部を上下方向にスライド可能に支持させてなる下背凭れ部１３、この下背凭れ部１３の上方に設けてなり、所定位置よりも上昇しないように維持すべく水平方向に延伸する枢着軸Ｘ１を介して上端部を背支桿１１に枢着している上背凭れ部１４、及びこれら下背凭れ部１３と上背凭れ部１４とを接続する弾性変形可能な接続部材１５を有し支持面すなわち背凭れ面Ｓの形状を形作る支持面部材たる背凭れ面部材１２とを具備する。なお、前記下背凭れ部１３及び上背凭れ部１４は、本実施形態では、板状の樹脂成形品を採用しているが、金属板に板金加工を施して形成したものであってもよく、また、正面視三方枠又は四方枠状をなす樹脂部材に張材を架設したものであってもよい。
【００１９】
しかして本実施形態では、前記背支桿１１と前記背凭れ面部材１２の下端との間、より詳細には前記背支桿１１と前記下背凭れ部１３の下端との間に、流体袋たるエアバッグ６を設けていて、このエアバッグ６を膨張又は収縮させることにより、背凭れ面部材１２の中間部を湾曲させて背凭れ面Ｓを着座者の身体に近づく方向に突出させるようにしている。なお、このエアバッグ６は、本実施形態では座３の下方に位置する。このエアバッグ６の表面の少なくとも一部は、背凭れ面Ｓからの荷重を受けて弾性変形可能である。このエアバッグ近傍を拡大して示した斜視図を図４に示す。
【００２０】
より具体的には、前記エアバッグ６は、前記背支桿１１の下端近傍に載置している。一方、前記下背凭れ部１３の下端には、このエアバッグ６の上面に当接可能なエアバッグ受け部１３１を設けていて、エアバッグ６の膨張ないし収縮に伴い下背凭れ部１３の自重によりこのエアバッグ受け部１３１がエアバッグ６の上面に当接した状態を保ちつつ下背凭れ部１３が昇降するようにしている。なお、前記背支桿１１のエアバッグ６近傍の位置には、ガイド長孔１１ｘを有するガイド部材１１１を左右１対に起立させて設けているとともに、前記エアバッグ受け部１３１には、このガイド長孔１１ｘに係合可能な突起１３２を設けていて、これらガイド長穴１１ｘと突起１３２とにより下背凭れ部１３の昇降動作の方向をガイドしている。
【００２１】
さらに本実施形態では、ヘッドレスト５の下端部を水平方向に延伸する枢着軸Ｘ２を介して背支桿１１に枢着しているとともに、このヘッドレスト５と前記背凭れ１とを接続部材５１を介して接続している。
【００２２】
通常時には、図２に示すように、エアバッグ６は最小限に収縮した状態となっていて、背凭れ面部材１２の下端、すなわち下背凭れ部１３の下端は最大限下降した位置にある。また、弾性変形可能な接続部材１５を介してこの下背凭れ部１３に接続している上背凭れ部１４の下端も最大限下降した位置にある。この状態から、エアバッグ６内に空気を充満させ、このエアバッグ６を膨張させると、図３に示すように、このエアバッグ６により背凭れ面部材１２の下端、すなわち下背凭れ部１３の下端が押し上げられる。これに伴い、前記接続部材１５を介してこの下背凭れ部１３に接続している上背凭れ部１４の下端も押し上げられるが、この上背凭れ部１４の上端は上述したように枢着軸Ｘ１を介して背支桿１１に枢着しているので、この上背凭れ部１４は前記枢着軸Ｘ１を回動中心として回動し、この上背凭れ部１４の下端が前方に押し出される。そして、これに伴い前記接続部材１５が弾性変形し、この弾性力により下背凭れ部１３の上端部も上前方に押し出され、背凭れ面Ｓが着座者の身体に近づく方向に突出する。
【００２３】
一方、前記ヘッドレスト５の下端部は、前述したように下端部を枢着軸Ｘ２を介して背支桿１１に枢着しているとともに、このヘッドレスト５と前記背凭れ１とを前記接続部材５１を介して接続しているので、エアバッグ６が膨張した際には、前記背凭れ１の前記枢着軸Ｘ１より上方の部分が後方に移動するのに伴いヘッドレスト５の下端も後方に移動し、このヘッドレスト５に上部、具体的には前記枢着軸Ｘ２より上方の部分は前方に駆動される。
【００２４】
なお、エアバッグ６が収縮する際には、以上に述べたエアバッグ６の膨張の際と逆向きの作用が各部に加えられる。
【００２５】
以上に述べたように、本実施形態に係る椅子Ｃの背凭れ１の構成によれば、着座者の身体を支持する背凭れ面Ｓの形状を形作る背凭れ面部材１２と、前記背凭れ面部材１２を支持するとともにその背凭れ面部材１２の上部が所定位置よりも上昇しないように前記枢着軸Ｘ１を介して維持する背支桿１１と、前記背凭れ面部材１２の下部と前記背支桿１１との間に介在し、背凭れ面部材１２の下部を上方に変位させることで背凭れ面部材１２の中間部を屈曲させて着座者の身体に近づく方向に突出させるエアバッグ６とを具備するので、エアバッグ６を膨張させることにより、背凭れ面部材１２の下部を上方に変位させることで背凭れ面部材１２の中間部を屈曲させて着座者の身体に近づく方向に突出させることができる。その上で、背凭れ面部材１２を変位させるためのエアバッグ６、背支桿１１の下端部、及び背凭れ面部材１２の下端部からなる機構を座３の下方に配し、外部から視認を不可能にして椅子の外観を整えることができる。
【００２６】
また、前記エアバッグ６の表面の少なくとも一部が背凭れ面Ｓからの荷重を受けて弾性変形可能であるので、このエアバッグ６の弾性により背凭れ面部材１２の中間部にクッション性を付与することができる。
【００２７】
さらに、前記背凭れ面部材１２の上方に配してなり着座者の頭部を支持するヘッドレスト５と、このヘッドレスト５と前記背凭れ面部材１２との間に配してなり前記背凭れ面部材１２の下部を上方に変位させる動作に連動してヘッドレスト５の上部を前方に駆動する接続部材５１とをさらに具備するので、背凭れ面部材１２の中間部の屈曲に連動させてヘッドレスト５の上部を前方に駆動させることにより、着座者の背部と同時に頸部を支持させることができるようになる。
【００２８】
そして、前記ヘッドレスト５と前記背凭れ面部材１２と前記接続部材５１を介して一体的に動作するように形成し、前記背支桿１１が、前記背凭れ面部材１２の上部を水平方向に延伸する枢着軸Ｘ１回りに回転可能に支持するとともに、この背支桿１１がヘッドレスト５の下部を水平方向に延伸する枢着軸Ｘ２回りに回転可能に支持するようにしているので、前段で述べたような機構を簡単な構成で実現できる。
【００２９】
なお、本発明は以上に述べた実施態様に限られない。
【００３０】
例えば、上述したエアバッグ内に空気以外の気体を充満させるようにしてももちろんよく、また、エアバッグでなく、内部に液体を充満可能な袋体を用いるようにしてもよい。
【００３１】
さらに、ヘッドレストは省略してもよく、ヘッドレストを設ける場合であってもヘッドレストを背支桿に対して固定する態様や、背凭れ面の突没と別個に動作可能にする態様を採用してもよい。
【００３２】
加えて、上述した実施形態では、流体袋（エアバッグ）を支持面部材（背凭れ面部材）の下方に設け、支持面部材（背凭れ面部材）の上端の高さ位置が上昇しないように支持本体（背支桿）下方に枢着させているが、流体袋（エアバッグ）を支持面部材（背凭れ面部材）の上方に設け、支持面部材（背凭れ面部材）の下端の高さ位置が下降しないように支持本体（背支桿）下方に支持させる態様を採用してもよい。
【００３３】
さらに、上述した実施形態のような袋部内部にエアバッグを挿入する態様や、前段で述べたような袋部をエアバッグとして構成する態様だけでなく、袋部内部に液体状又はゲル状の流体を充満させた袋体を挿入してもよく、袋部自体の内部に液体状又はゲル状の流体を充満させるようにしてももちろんよい。
【００３４】
そして、上述した実施形態では、背凭れ面部材を、上背凭れ部、下背凭れ部、及びこれらを接続する弾性変形可能な接続部材を有するものにしているが、例えば、弾性変形可能な枠体と、この枠体に架設してなる張材とを有するものとしてもよい。
【００３５】
その他、本発明の趣旨を逸脱しない範囲で種々変形が可能である。
【図面の簡単な説明】
【００３６】
【図１】本発明の一実施形態に係る椅子を示す全体斜視図。
【図２】同実施形態に係る椅子の背凭れを示す中央縦断面図。
【図３】同実施形態に係る椅子の背凭れを示す中央縦断面図。
【図４】同実施形態に係る椅子の背凭れの下端部を示す拡大斜視図。
【符号の説明】
【００３７】
Ｃ…椅子
１…背凭れ
１１…背支桿（支持本体）
１２…背凭れ面部材（支持面部材）
６…エアバッグ（袋体）
Ｓ…背凭れ面
【図１】
0005422823.tif 000002
【図２】
0005422823.tif 000003
【図３】
0005422823.tif 000004
【図４】
0005422823.tif 000005